(57)【特許請求の範囲】
【請求項１】
本体支持部に固定された、頭髪の頭頂部分にあるほぼ半円円弧状の頭頂ユニット支持部と、
その両端部分の各々が上記頭頂ユニット支持部の各先端部分に回動自在に連結された、頭髪の頭頂部分から各々左，右側面にわたる頭髪全域に対して熱を照射するほぼ半円円弧状の第１，第２のヒーターを有する、第１，及び第２のヒーターユニットと、
上記第１，第２のヒーターユニットを相互に逆方向に回転駆動させるユニット駆動部と、
上記第１，第２のヒーターユニットの、上記回転駆動範囲の上限位置を検出する上限リミットスイッチと、
上記第１，第２のヒーターユニットの、上記回転駆動範囲の下限位置を検出する下限リミットスイッチとを備え、
上記第１，第２のヒーターユニットは、上記上限位置と上記下限位置との間で回動可能である、
ことを特徴とする頭髪処理促進機。
【請求項２】
請求項１記載の頭髪処理促進機において、
頭髪処理促進機本体が、スタンドの先端部に、該頭髪処理促進機本体に連結された支持棒を介して挿入され、該スタンドごと床面上を移動可能である、ことを特徴とする頭髪処理促進機。
【請求項３】
請求項２記載の頭髪処理促進機において、
上記頭髪処理促進機は、上記頭髪処理促進機本体を、上記支持棒に対して支持軸を中心に前後に傾動可能であり、上記支持軸の回動をロックすることにより、上記頭髪処理促進機本体の前後傾動位置を固定可能である、
ことを特徴とする頭髪処理促進機。
【請求項４】
請求項１ないし請求項３のいずれかに記載の頭髪処理促進機において、
上記上限位置は、上記第１，第２のヒーターユニットが相互に平行な面に位置し且つ上記頭頂ユニット支持部が位置する面と平行な平面上に位置する状態にある位置であり、
上記下限位置は、上記第１，第２のヒーターユニットが同一平面上に位置し該両ヒーターユニットでほぼ円形状をつくる状態にある位置である、
ことを特徴とする頭髪処理促進機。
【請求項５】
請求項４記載の頭髪処理促進機において、
上記第１，第２のヒーターユニットは、上記上限位置から上記下限位置まで回動し、上記下限位置から、上記上限位置と上記下限位置との間の所定の斜め位置まで回動した後、該斜め位置で反転して再び上記下限位置まで回動し、さらに該下限位置から上記上限位置まで回動する動作を繰り返す、
ことを特徴とする頭髪処理促進機。
【請求項６】
請求項５記載の頭髪処理促進機において、
上記斜め位置は、上記第１，第２のヒーターユニットが上記下限位置から上記上限位置にむかって回動する際の経過時間を制御して設定する、
ことを特徴とする頭髪処理促進機。
【請求項７】
請求項４記載の頭髪処理促進機において、
上記第１，第２のヒーターユニットは、上記上限位置から上記下限位置まで回動し、上記下限位置から、上記上限位置と上記下限位置との間の所定の斜め位置まで回動し、該斜め位置で所定時間停止した後、さらに該斜め位置から上記上限位置まで回動する動作を繰り返す、
ことを特徴とする頭髪処理促進機。
【請求項８】
請求項７記載の頭髪処理促進機において、
上記斜め位置は、上記第１，第２のヒーターユニットが上記下限位置から上記上限位置にむかって回動する際の経過時間を制御して設定する、
ことを特徴とする頭髪処理促進機
【発明の詳細な説明】
【０００１】
【発明の属する技術分野】
本発明は、理美容院において頭髪のパーマ、毛染め、乾燥等の処理を行う際に、頭髪に熱を照射して、該処理を促進させる頭髪処理促進機に関する。
【０００２】
【従来の技術】
従来から、理美容院において頭髪に対してパーマや毛染めや乾燥等の処理を行う場合、ヒーター等で頭髪に熱を照射し、該処理の進行を促進させる。そして、その頭髪に熱を照射する装置としては、特公平４−６４４に記載されている、リング状ヒーターが頭部周囲を回転しながら熱を照射し、頭髪を加温する毛髪処理促進装置や、特公平７−３２７２９に記載されている、頭部両側面、後部、頭頂部など、各部分に熱を照射する、分割された複数のヒーターが、頭髪を加温する毛髪処理促進制御装置などがある。
【０００３】
【発明が解決しようとする課題】
しかしながら、頭髪に対してパーマや毛染めの処理を行う場合、該処理を促進させるには、特に頭髪の生え際に対して熱が照射されることが必要である。この点に関して、従来の特公平４−６４４に記載されている毛髪処理促進装置においては、リング状ヒーターが軸を中心として偏心回転運動を行い、頭部周囲を回転しながら頭髪を加温するものであって、熱が特に必要な頭髪の生え際部分と熱があまり必要でない頭髪の頭頂部分との熱分布のバランスが悪く、パーマや毛染めのムラなどが生じやすいものであった。また、特公平７−３２７２９に記載されている毛髪処理促進制御装置においても同様に、頭頂部、頭部両側面、後部にある複数のヒーターでは、熱が特に必要な頭髪の生え際部分と熱があまり必要でない頭髪の頭頂部分との熱分布のバランスが悪く、パーマや毛染めのムラなどが生じやすいものであった。
【０００４】
本発明は、上記問題に鑑みてなされたものであり、頭髪の頭頂部分より、頭髪の生え際部分に多くの熱を照射することのできる頭髪処理促進機を提供することを目的とする。
【０００５】
【課題を解決するための手段】
上記課題を解決するために、本発明の請求項１記載の頭髪処理促進機は、本体支持部に固定された、頭髪の頭頂部分にあるほぼ半円円弧状の頭頂ユニット支持部と、その両端部分の各々が上記頭頂ユニット支持部の各先端部分に回動自在に連結された、頭髪の頭頂部分から各々左，右側面にわたる頭髪全域に対して熱を照射するほぼ半円円弧状の第１，第２のヒーターを有する、第１，及び第２のヒーターユニットと、上記第１，第２のヒーターユニットを相互に逆方向に回転駆動させるユニット駆動部と、上記第１，第２のヒーターユニットの、上記回転駆動範囲の上限位置を検出する上限リミットスイッチと、上記第１，第２のヒーターユニットの、上記回転駆動範囲の下限位置を検出する下限リミットスイッチとを備え、上記第１，第２のヒーターユニットは、上記上限位置と上記下限位置との間で回動可能である、ようにしたものである。
【０００６】
また、本発明の請求項２記載の頭髪処理促進機は、請求項１記載の頭髪処理促進機において、頭髪処理促進機本体が、スタンドの先端部に、該頭髪処理促進機本体に連結された支持棒を介して挿入され、該スタンドごと床面上を移動可能である、ようにしたものである。
【０００７】
また、本発明の請求項３記載の頭髪処理促進機は、請求項２記載の頭髪処理促進機において、上記頭髪処理促進機は、上記頭髪処理促進機本体を、上記支持棒に対して支持軸を中心に前後に傾動可能であり、上記支持軸の回動をロックすることにより、上記頭髪処理促進機本体の前後傾動位置を固定可能である、ようにしたものである。
【０００８】
また、本発明の請求項４記載の頭髪処理促進機は、請求項１ないし請求項３のいずれかに記載の頭髪処理促進機において、上記上限位置は、上記第１，第２のヒーターユニットが相互に平行な面に位置し且つ上記頭頂ユニット支持部が位置する面と平行な平面上に位置する状態にある位置であり、上記下限位置は、上記第１，第２のヒーターユニットが同一平面上に位置し該両ヒーターユニットでほぼ円形状をつくる状態にある位置である、ようにしたものである。
【０００９】
また、本発明の請求項５記載の頭髪処理促進機は、請求項４記載の頭髪処理促進機において、上記第１，第２のヒーターユニットは、上記上限位置から上記下限位置まで回動し、上記下限位置から、上記上限位置と上記下限位置との間の所定の斜め位置まで回動した後、該斜め位置で反転して再び上記下限位置まで回動し、さらに該下限位置から上記上限位置まで回動する動作を繰り返す、ようにしたものである。
【００１０】
また、本発明の請求項６記載の頭髪処理促進機は、請求項５記載の頭髪処理促進機において、上記斜め位置は、上記第１，第２のヒーターユニットが上記下限位置から上記上限位置にむかって回動する際の経過時間を制御して設定する、ようにしたものである。
【００１１】
また、本発明の請求項７記載の頭髪処理促進機は、請求項４記載の頭髪処理促進機において、上記第１，第２のヒーターユニットは、上記上限位置から上記下限位置まで回動し、上記下限位置から、上記上限位置と上記下限位置との間の所定の斜め位置まで回動し、該斜め位置で所定時間停止した後、さらに該斜め位置から上記上限位置まで回動する動作を繰り返す、ようにしたものである。
【００１２】
また、本発明の請求項８記載の頭髪処理促進機は、請求項７記載の頭髪処理促進機において、上記斜め位置は、上記第１，第２のヒーターユニットが上記下限位置から上記上限位置にむかって回動する際の経過時間を制御して設定する、ようにしたものである。
【００１３】
【発明の実施の形態】
（実施の形態１）
以下、図１から図８を用いて、本実施の形態１における頭髪処理促進機について説明する。
まず、図１を用いて、本実施の形態１における頭髪処理促進機の構成について説明する。
【００１４】
図１は、本実施の形態１における頭髪処理促進機の正面斜視図である。
図１において、本実施の形態１の頭髪処理促進機は、本体支持部５に内蔵されているヒーターユニット駆動部５０（図示せず）により左右に相互に離れるように、あるいは左右から相互に近づくように、頭髪の周囲を揺動回動しながら、頭髪の頭頂部分から各々左，右側面にわたる頭髪全域に対して熱を照射する第１，及び第２のヒーターユニット１，２を備える頭髪処理部２０を有するものであり、該頭髪処理部２０は支持棒９を介してスタンド１０の先端に挿入され、これを床面上の任意の位置に設置するものである。
【００１５】
また、上記頭髪処理部２０は、上記支持棒９に対して支持軸６を中心に前後に傾動させることができるものであり、支持軸ロックブラケット８に固着された把手７を上方に持ち上げることで支持軸６の回動をロックさせ、上記頭髪処理部２０の前後傾動位置を固定するものである。
【００１６】
以下、図２から図５を用いて、上記頭髪処理部２０の各部について詳細に説明する。
まず、第１，第２のヒーターユニット１，２の構成、及び該両ヒーターユニット１，２と、頭髪の頭頂部分にある頭頂ユニット支持部３との連結部分について、図２、及び図３を参照しながら説明する。図２は、図１の頭髪処理部のＡ−Ａ’断面図であり、図３は、図２の頭髪処理部のＢ−Ｂ’断面図である。
【００１７】
図２において、第１，第２のヒーターユニット１，２は、頭髪に熱を照射するヒーターと、そのヒーターの熱がより広範囲に届くようにする反射板１４と、ヒーター及び反射板１４の枠であるヒーターカバー１５と、第１，第２のヒーターユニット１，２の両先端部分に設けられた第１，第２の回動ブラケット１６，１７とからなるものであり、上記第１，第２のヒーターユニット１，２と頭頂ユニット支持部３とは、図３に示すように上記第１，第２の回動ブラケット１６，１７の部分で、回動軸４と、ヒーターユニット駆動部５０の第１，第２のモーター出力軸５６，５７とにより連結されている。
【００１８】
次に、ヒーターユニット駆動部５０について図４、図５を参照しながら説明する。図４（ａ）は、本実施の形態１におけるヒーターユニット駆動部５０の断面図であり、図４（ｂ）はヒーターユニット駆動部５０の正面図であり、図５は、本実施の形態１における第１，第２のヒーターユニットが頭髪の周囲を揺動回動する場合の回動範囲を示す図である。
【００１９】
図４において、ヒーターユニット駆動部５０は、モーター５１と、モーターギアボックス５２と、駆動カム５３と、上限，下限リミットスイッチ５４ａ，５４ｂと、第１，第２のモーター出力軸５６、５７とからなるものであり、第１，第２のヒーターユニット１，２が頭髪の周囲を左右相互に離れるように、あるいは左右相互に近づくように回動させる駆動部である。
【００２０】
第１，第２のモーター出力軸５６，５７は、それぞれが相互に逆に回動するようにギアで連結され、モーター５１の駆動により、相互に逆方向に回動するようになっており、該第１のモーター出力軸５６を第１の回動ブラケット１６ｂに、第２のモーター出力軸５７を第２の回動ブラケット１７ｂに連結させることで、モーター５１からの駆動出力を上記第１，第２のヒーターユニット１，２に伝え、該両ヒーターユニット１，２を上述のように頭髪周囲を左右相互に揺動回動させるものである。
【００２１】
駆動カム５３は、上記モータ出力軸５５と連通させた軸の他端に取り付けられているものであり、上記第１，第２のヒーターユニット１，２と共に揺動回動するものである。
【００２２】
上限，下限リミットスイッチ５４ａ，５４ｂは、上記駆動カム５３の突起部分によって押されて、上記第１，第２のヒーターユニット１，２の上限，下限位置を検出し、該両ヒーターユニット１，２の回動可能範囲を決定するものである。本実施の形態１においては、第１，第２のヒーターユニット１，２が、図５に示すＸ位置である、相互に平行で且つ頭頂ユニット支持部３が位置する面と平行な平面に位置する状態と、Ｙ位置である、同一平面上で両ヒーターユニット１，２でほぼ円形状態をつくる状態との間を回動可能範囲とし、該両ヒーターユニット１，２は、上記Ｘ位置と上記Ｙ位置との間の、所定のＺ位置で回動方向を反転して、Ｘ位置―Ｙ位置―Ｚ位置―Ｙ位置―Ｘ位置と移動して、頭髪の周囲を揺動するものである。このように上記両ヒーターユニット１，２がＸ位置とＹ位置との間の往復回動に加えて、さらにＺ位置とＹ位置との間を回動することにより、あまり熱の必要がない頭髪の頭頂部分より、熱が必要な頭髪の生え際部分に多くの熱を照射するものである。また、上記所定のＺ位置は、ヒーターユニット１，２がＹ位置からＸ位置に移動する経過時間を制御して、位置設定することが可能なものである。
【００２３】
ここで、図５を用いて、上記第１，第２のヒーターユニット１，２の回動動作について詳細に説明する。まず第１，第２のヒーターユニット１，２はＸ位置にあり、該Ｘ位置から両ヒーターユニット１，２が左右相互に離れていくように、Ｙ位置にむかって回動する。そして下限リミットスイッチ５４ｂによりＹ位置が検出されると、今度は該Ｙ位置から両ヒーターユニット１，２が左右相互に近づくように、Ｘ位置にむかって回動する。両ヒーターユニット１，２がＹ位置からＸ位置への回動が開始されてから、予め設定しておいた時間が経過すると、ヒーターユニット駆動部５０により反転出力が出力され、両ヒーターユニット１，２はその設定時間が経過した時の地点であるＺ位置で反転し、Ｚ位置から再びＹ位置にむかって相互左右に離れるように回動する。そして下限リミットスイッチ５４ｂにより再びＹ位置が検出されると、Ｙ位置から上限リミットスイッチ５４ａによりＸ位置が検出されるまで左右相互に近づくように回動していく。
【００２４】
次に、頭髪処理部２０と支持棒９との連結部分について、図２を参照しながら説明する。図２において、支持軸６には、当該頭髪処理部２０のシャーシ９２，９３のうち支持軸６側のシャーシ９２と、支持軸ロックボルト８１とが固着されており、該支持軸ロックボルト８１が適度な硬さで締め込まれている支持軸ロックブラケット８には、把手７が固着されている。支持棒９は内部にバネ９１を備えていて、バネ９１の一端は支持棒９に、他端は支持軸６に固定されている。このバネ９１は、シャーシ９２が固着されている支持軸６をバネの反発力で外側に押し出し、それによって該支持軸６に固着している支持軸ロックボルト８１をシャーシ９３のほうにひきよせて支持棒９を押さえつけることで、該頭髪処理部２０が前方に倒れるのを防いでいる。また、さらに頭髪処理部２０の位置をロックさせたい場合は、把手７を上方に持ち上げる。これにより、支持軸ロックブラケット８が支持軸ロックボルト８１にさらに締め込まれ、それによって支持軸ロックブラケット８と支持軸６とがそれぞれシャーシ９３，９２側にさらに押さえつけられ、支持軸６とシャーシ９２との摩擦力、及び支持軸ロックブラケット８とシャーシ９３との摩擦力で頭髪処理部２０の位置を動かないようにロックすることができる。
【００２５】
さらに、本体支持部５には、本頭髪処理促進機の電源や、第１，第２のヒーターユニット１，２の第１，第２のヒーター１１，１２の温度や該ヒーターによる熱照射時間の設定、第１，第２のヒーターユニットを反転させる任意の位置の設定、熱照射の開始など、当該頭髪処理促進機を操作するスイッチが設けられた操作盤１３が取り付けられている。
【００２６】
次に、図６から図８を用いて、本実施の形態１における頭髪処理促進機を使用して、被施術者の頭髪に熱を照射する動作について説明する。図６（ａ）は、本実施の形態１における頭髪処理部２０の位置調整する前の側面図で、図６（ｂ）は、本実施の形態１における頭髪処理部２０の位置調整時の側面図であり、図７は、本実施の形態１の頭髪処理促進機の第1，第2のヒーターユニットが、図５におけるＹ位置にある時の頭髪処理部を示す正面図であり、図８は、本実施の形態１の頭髪処理促進機の第１，第２のヒーターユニットが、図５におけるＺ位置にある時の頭髪処理部を示す正面図である。
【００２７】
まず、美容師（図示せず）は、頭髪処理部２０が図６（ａ）に示す上方保持位置Ｘ0位置にある頭髪処理促進機を、理美容椅子に座っている被施術者の後ろに設置する。
そして次に美容師は、図６（ａ）の上方保持位置Ｘ0にある頭髪処理部２０を図６（ｂ）に示す所望の位置である実線位置Ｘ1まで傾動させる。
【００２８】
ここで、その頭髪処理部２０の支持棒９に対する具体的な傾動動作について述べると、頭髪処理部２０を図６（ａ）の位置Ｘ0から、図６（ｂ）の実線位置Ｘ1まで移動させる場合、まず美容師（図示せず）は、把手７を図６（ａ）のｌｏｃｋ位置からｕｎｌｏｃｋ位置に下げて、頭髪処理部２０位置のロックをはずす。次に美容師は、頭髪処理部２０を図６（ｂ）斜線位置Ｘ0の位置から徐々に前に傾動させていき、頭髪処理部２０のヒーターユニット１，２が被施術者の頭髪に熱を十分に照射できる位置、図６（ｂ）実線位置Ｘ1に至った時、把手７をｌｏｃｋ位置に上げて、頭髪処理部２０の傾動位置をロックする。
【００２９】
このようにして頭髪処理部２０の位置を被施術者にあわせて調整した後、美容師は本頭髪処理促進機に対して通電させ、操作盤１３上にある電源スイッチを押して上記頭髪処理促進機の電源を入れる。
そして、美容師は操作盤１３上にあるスイッチを操作して、被施術者がうけている施術の内容、例えば頭髪のパーマや毛染め、あるいはトリートメント等、に適当なヒーターの温度や熱照射時間を設定した後、熱照射を開始させるスイッチを押して被施術者の頭髪に対する熱照射を開始させる。
【００３０】
頭髪処理部２０より被施術者の頭髪に対して熱照射が開始されると同時に、第１，第２のヒーターユニット１，２が被施術者の頭髪の周囲を揺動回動しはじめる。上記第１，第２のヒーターユニット１，２は、上述したようにしてＸ位置―Ｙ位置―Ｚ位置―Ｙ位置―Ｘ位置と回動する。ここで美容師が、現時点で予め設定されていた反転位置が被施者の頭髪に対して少し低く、頭髪の生え際に十分に熱が照射されていないと感じた場合は、Ｙ位置からＺ位置まで移動するのにかかる経過時間を操作盤１３で長く設定しなおし、Ｚ位置を現時点より高くすることができる。
【００３１】
操作盤１３により設定されたヒーターからの熱照射時間が経過すると、ヒーター１１，１２が自動的に切れ、被施術者の頭髪に対する熱の照射が終了する。それに伴い、第１，第２のヒーターユニット１，２が図１に示す状態にまで自動的に戻るようになっている。美容師は、操作盤１３の電源を切り、頭髪処理促進機を被施術者の後ろから、このあとの被施術者に対する施術を行う際に邪魔にならない場所に移動させる。
【００３２】
以上のように、本実施の形態１における頭髪処理促進機によれば、被施術者の頭髪の頭頂部分にある頭頂ユニット支持部３に対して、第１，第２のヒーターユニット１，２を回動軸４ａ，４ｂにより回動可能に連結し、ヒーターユニット駆動部５０を該回動軸４ｂに嵌めこんで、上記第１，第２のヒーターユニット１，２が頭髪の頭頂部分から左右に相互に離れるように、あるいは左右から相互に近づくように揺動回動させ、その回動動作は第１，第２のヒーターユニット１，２が相互に平行な面に位置し、且つ上記頭頂ユニット支持部３が位置する面と平行な平面上に位置する状態である上限位置から、第１，第２のヒーターユニットが同一平面状に位置し、該両ヒーターユニット１，２で略円形状をつくる下限位置まで回動し、該下限位置からある所定の斜め位置まで回動した後、該所定の斜め位置において上記ヒーターユニット駆動部５０によって反転出力されて、再度上記下限位置まで回動した後、該下限位置から上記上限位置まで回動するものであるようにしたので、熱のあまり必要ない頭髪の頭頂部分より、熱が必要な頭髪の生え際部分に熱を多く照射することができる。
【００３３】
また、本実施の形態１における頭髪処理促進機によれば、上記反転する位置を上記下限位置からの経過時間を制御することで設定するようにしたので、被施術者の頭に合わせて、上記反転位置を移動させることができる。
なお、本実施の形態１においては、上記第１，第２のヒーターユニット１，２の回動動作をある所定の斜め位置で反転させて再度上記下限位置まで回動した後、上記上限位置まで回動するようにしたが、上記所定の斜め位置で反転するのではなく、ある一定時間停止させた後に上記上限位置に回動するようにしても同じ効果がえられる。
【００３４】
【発明の効果】
本発明の請求項１記載の頭髪処理促進機によれば、本体支持部に固定された、頭髪の頭頂部分にあるほぼ半円円弧状の頭頂ユニット支持部と、その両端部分の各々が上記頭頂ユニット支持部の各先端部分に回動自在に連結された、頭髪の頭頂部分から各々左，右側面にわたる頭髪全域に対して熱を照射するほぼ半円円弧状の第１，第２のヒーターを有する、第１，及び第２のヒーターユニットと、上記第１，第２のヒーターユニットを相互に逆方向に回転駆動させるユニット駆動部と、上記第１，第２のヒーターユニットの、上記回転駆動範囲の上限位置を検出する上限リミットスイッチと、上記第１，第２のヒーターユニットの、上記回転駆動範囲の下限位置を検出する下限リミットスイッチとを備え、上記第１，第２のヒーターユニットは、上記上限位置と上記下限位置との間で回動可能であるようにしたので、第１，第２のヒーターユニットを頭頂ユニット支持部に対して左右相互に離れるように、あるいは左右相互に近づくように揺動回動させて、被施術者の頭髪に対して熱の照射を行うことができる。
【００３５】
また、本発明の請求項２記載の頭髪処理促進機によれば、請求項１記載の頭髪処理促進機において、頭髪処理促進機本体が、スタンドの先端部に、該頭髪処理促進機本体に連結された支持棒を介して挿入され、該スタンドごと床面上を移動可能であるようにしたので、本頭髪処理促進機を任意の位置に設置することができる。
【００３６】
また、本発明の請求項３記載の頭髪処理促進機によれば、請求項２記載の頭髪処理促進機において、上記頭髪処理促進機は、上記頭髪処理促進機本体を、上記支持棒に対して支持軸を中心に前後に傾動可能であり、上記支持軸の回動をロックすることにより、上記頭髪処理促進機本体の前後傾動位置を固定可能であるようにしたので、被施術者の頭の位置に合わせて、本頭髪処理促進機本体を前後に傾動させることができる。
【００３７】
また、本発明の請求項４記載の頭髪処理促進機によれば、請求項１ないし請求項３のいずれかに記載の頭髪処理促進機において、上記上限位置は、上記第１，第２のヒーターユニットが相互に平行な面に位置し且つ上記頭頂ユニット支持部が位置する面と平行な平面上に位置する状態にある位置であり、上記下限位置は、上記第１，第２のヒーターユニットが同一平面上に位置し該両ヒーターユニットでほぼ円形状をつくる状態にある位置であるようにしたので、被施術者の頭髪全周の生え際に対して熱の照射を行うことができる。
【００３８】
また、本発明の請求項５記載の頭髪処理促進機によれば、請求項４記載の頭髪処理促進機において、上記第１，第２のヒーターユニットは、上記上限位置から上記下限位置まで回動し、上記下限位置から、上記上限位置と上記下限位置との間の所定の斜め位置まで回動した後、該斜め位置で反転して再び上記下限位置まで回動し、さらに該下限位置から上記上限位置まで回動する動作を繰り返すようにしたので、熱のあまり必要でない頭髪の頭頂部分より、熱の必要な頭髪の生え際部分に熱を多く照射することができる。
【００３９】
また、本発明の請求項６記載の頭髪処理促進機によれば、請求項５記載の頭髪処理促進機において、上記斜め位置は、上記第１，第２のヒーターユニットが上記下限位置から上記上限位置にむかって回動する際の経過時間を制御して設定するようにしたので、上記第１，第２のヒーターユニットを反転させる位置を、所望の位置に設定することができる。
【００４０】
また、本発明の請求項７記載の頭髪処理促進機によれば、請求項４記載の頭髪処理促進機において、上記第１，第２のヒーターユニットは、上記上限位置から上記下限位置まで回動し、上記下限位置から、上記上限位置と上記下限位置との間の所定の斜め位置まで回動し、該斜め位置で所定時間停止した後、さらに該斜め位置から上記上限位置まで回動する動作を繰り返すようにしたので、熱のあまり必要でない頭髪の頭頂部分より、熱の必要な頭髪の生え際部分に熱を多く照射することができる。
【００４１】
また、本発明の請求項８記載の頭髪処理促進機によれば、請求項７記載の頭髪処理促進機において、上記斜め位置は、上記第１，第２のヒーターユニットが上記下限位置から上記上限位置にむかって回動する際の経過時間を制御して設定するようにしたので、上記第１，第２のヒーターユニットを一時停止させる位置を、所望の位置に設定することができる。
【図面の簡単な説明】
【図１】本発明の実施の形態１にかかる、頭髪処理促進機の正面斜視図である。
【図２】図１における、頭髪処理部のＡ−Ａ’断面図である。
【図３】図２における、頭髪処理部のＢ−Ｂ’断面図である。
【図４】本発明の実施の形態１における、頭髪処理促進機のヒーターユニット駆動部を示す図である。
【図５】本発明の実施の形態１における、頭髪処理促進機の第１，第２のヒーターユニットの回動範囲を示す図である。
【図６】本発明の実施の形態１における、頭髪処理促進機のヒーターユニットの位置調整時の側面図である。
【図７】本発明の実施の形態１における、頭髪処理促進機の第１，第２のヒーターユニットが下限位置にある図である。
【図８】本発明の実施の形態１における、頭髪処理促進機の第１，第２のヒーターユニットが反転位置にある図である。
【符号の説明】
１  第１のヒーターユニット
２  第２のヒーターユニット
３  頭頂ユニット支持部
４  回動軸
５  本体支持部
６  支持軸
７  把手
８  支持軸ロックブラケット
９  支持棒
１０  スタンド
１１  第１のヒーター
１２  第２のヒーター
１３  操作盤
１４ａ，１４ｂ  反射板
１５ａ，１５ｂ  ヒーターカバー
１６ａ，１６ｂ  第１の回動ブラケット
１７ａ，１７ｂ  第２の回動ブラケット
２０  頭髪処理部
５０  ヒーターユニット駆動部
５１  モーター
５２  モーターギアボックス
５３  駆動カム
５４ａ  上限リミットスイッチ
５４ｂ  下限リミットスイッチ
５６  第１のモータ出力軸
５７  第２のモータ出力軸
８１  支持軸ロックボルト
９１  バネ
９２，９３  シャーシ
【図１】
0004435398.tif 000002
【図２】
0004435398.tif 000003
【図３】
0004435398.tif 000004
【図４】
0004435398.tif 000005
【図５】
0004435398.tif 000006
【図６】
0004435398.tif 000007
【図７】
0004435398.tif 000008
【図８】
0004435398.tif 000009